(57)【要約】【課題】防眩性フィルム等の光学フィルムの輝度ムラを正確に検査することができる撮像装置及び撮像方法を提供する。【解決手段】本発明は光学フィルムＦの光学特性を評価するため撮像する撮像装置１０及び撮像方法であって、ステージ１１に保持された光学フィルムＦを撮像部１２で撮像する際に、ステージ１１を光学フィルムＦの表面に対して平行方向に駆動制御し、ステージ１１を平行方向に所定の移動量で移動させつつ、撮像部１２によって光学フィルムＦを撮像する。【選択図】図１
2007264450.tif 000002
【特許請求の範囲】
【請求項１】
光学フィルムの光学特性を評価するため撮像する撮像装置であって、
前記光学フィルムを保持するステージと、
前記ステージに保持された光学フィルムを撮像する撮像部と、
前記ステージを、前記光学フィルムの表面に対して平行方向に駆動制御するステージ位置制御手段とを備え、
前記ステージを平行方向に所定の移動量で移動させつつ、前記撮像部によって前記光学フィルムを撮像することを特徴とする撮像装置。
【請求項２】
前記撮像部によって撮像された、所定の移動量ごとの前記光学フィルムの画像を合成して前記光学フィルム全体領域の画像を得る画像合成処理部を備えていることを特徴とする請求項１に記載の撮像装置。
【請求項３】
前記光学フィルムに対する前記撮像部の撮像角度を制御する撮像角度制御手段を備えていることを特徴とする請求項１又は２に記載の撮像装置。
【請求項４】
光学フィルムの光学特性を評価するため撮像する撮像方法であって、
前記ステージに保持された光学フィルムを撮像部で撮像する際に、前記ステージを前記光学フィルムの表面に対して平行方向に駆動制御し、前記ステージを平行方向に所定の移動量で移動させつつ、前記撮像部によって前記光学フィルムを撮像することを特徴とする撮像方法。
【請求項５】
前記撮像部によって撮像された、所定の移動量ごとの前記光学フィルムの画像を、画像合成処理部で合成して前記光学フィルム全体領域の画像を得ることを特徴とする請求項４に記載の撮像方法。
【請求項６】
前記光学フィルムに対する前記撮像部の撮像角度を撮像角度制御手段によって制御することを特徴とする請求項４又は５に記載の撮像方法。
【発明の詳細な説明】
【技術分野】
【０００１】
本発明は、防眩性フィルムなどの光学フィルムに生じる光学特性上の輝度ムラを検査する際に、輝度ムラを撮像するために用いる撮像装置及び撮像方法に関する。
【背景技術】
【０００２】
ディスプレイの鑑賞において、照明や周囲環境に配置されている物体や鑑賞者本人がディスプレイの表示面に写り込んでしまうといった現象は、ディスプレイの表示を見にくくしてしまう大きな要因の一つとなっている。ディスプレイへの写り込みを防止するために、ＬＣＤ等では、ディスプレイの表示面にアンチグロス処理等が施された防眩性フィルムが貼り付けられる構成が採用されている。
【０００３】
ディスプレイに防眩性フィルムを貼り付けることで、表示の見やすさはかなり改善されるが、防眩性フィルムの防眩効果の不均一性に起因して、ある鑑賞条件下では輝度ムラとして認識されてしまうことがあった。
【発明の開示】
【発明が解決しようとする課題】
【０００４】
ところで、防眩性フィルムの輝度ムラが認識される際の鑑賞条件は、観察位置から防眩性フィルムまでの距離と角度に依存することが多く、例えば、固定された角度条件のみでは、防眩性フィルムの位置によって輝度ムラを鑑賞できる外部光源の入射角度及び撮影角度が変わる。このため、輝度ムラの検査工程において、この輝度ムラを固定された鑑賞位置から撮像するとすると、結果として防眩性フィルム全体について一部の領域しか輝度ムラの撮像でき、また、このときの撮像位置が輝度ムラを検知しやすい角度条件から外れていることも懸念される。
【０００５】
図５は、防眩性フィルムの輝度ムラを撮像するときの状態を説明する図である。図５に示すように、防眩性フィルム１に対し、観察位置Ａ及び観察位置Ｂの距離が違う位置にある場合、防眩性フィルム１における位置ｐ１，ｐ２では、それぞれ観察位置Ａ及び観察位置Ｂからの角度（見込み角）が異なる。また、防眩性フィルムの位置ｐ１，ｐ２では、外部光源２からの光の入射角度もそれぞれ異なる。このため、同一の観察位置において防眩性フィルム１の輝度ムラを撮像しても、防眩性フィルム１の位置によっては撮像できないことがあり、輝度ムラを正確に検査することができない点で改善の余地があった。
【０００６】
本発明は、上記事情に鑑みてなされたもので、その目的は、防眩性フィルム等の光学フィルムの輝度ムラを正確に検査することができる撮像装置及び撮像方法を提供することにある。
【課題を解決するための手段】
【０００７】
本発明の上記目的は、下記構成によって達成される。
（１）  光学フィルムの光学特性を評価するため撮像する撮像装置であって、
前記光学フィルムを保持するステージと、
前記ステージに保持された光学フィルムを撮像する撮像部と、
前記ステージを、前記光学フィルムの表面に対して平行方向に駆動制御するステージ位置制御手段とを備え、
前記ステージを平行方向に所定の移動量で移動させつつ、前記撮像部によって前記光学フィルムを撮像することを特徴とする撮像装置。
（２）  前記撮像部によって撮像された、所定の移動量ごとの前記光学フィルムの画像を合成して前記光学フィルム全体領域の画像を得る画像合成処理部を備えていることを特徴とする上記（１）に記載の撮像装置。
（３）  前記光学フィルムに対する前記撮像部の撮像角度を制御する撮像角度制御手段を備えていることを特徴とする上記（１）又は（２）に記載の撮像装置。
（４）  光学フィルムの光学特性を評価するため撮像する撮像方法であって、
前記ステージに保持された光学フィルムを撮像部で撮像する際に、前記ステージを前記光学フィルムの表面に対して平行方向に駆動制御し、前記ステージを平行方向に所定の移動量で移動させつつ、前記撮像部によって前記光学フィルムを撮像することを特徴とする撮像方法。
（５）  前記撮像部によって撮像された、所定の移動量ごとの前記光学フィルムの画像を、画像合成処理部で合成して前記光学フィルム全体領域の画像を得ることを特徴とする上記（４）に記載の撮像方法。
（６）  前記光学フィルムに対する前記撮像部の撮像角度を撮像角度制御手段によって制御することを特徴とする上記（４）又は（５）に記載の撮像方法。
【０００８】
本発明に係る撮像装置及び撮像方法は、防眩性フィルム等の光学フィルムの輝度ムラを検査する際に使用すると、光学フィルムを保持するステージをステージ位置制御手段によって任意の位置に移動させつつ、光学フィルムの撮像を行うことができる。そして、光学フィルムの位置を移動させることで撮像する位置と光学フィルムとの距離に依存した見込み角をキャンセル補正した画像を撮像することができる。このため、光学フィルム上の位置にかかわらず、常に輝度ムラを撮像しやすい条件に設定することができ、輝度ムラを正確に検査することができる。
また、画像合成処理部によって、所定の移動量ごとの光学フィルムの画像を合成して光学フィルム全体領域の画像を得る構成とすれば、光学フィルムの位置ごとに適した条件で撮像された輝度ムラを、一つの光学フィルムの画像として視認することができるため、検査が行いやすい。
さらに、光学フィルムに対する撮像部の撮像角度を撮像角度制御手段によって制御すれば、光学フィルムの位置ごとに適した角度条件で輝度ムラの撮像が行うことができ、また、任意の見込み角を想定した画像を撮像することができる。このため、光学フィルムの輝度ムラの検査をより一層正確に行うことができる。
【発明の効果】
【０００９】
本発明によれば、防眩性フィルム等の光学フィルムの輝度ムラを正確に検査することができる撮像装置及び撮像方法を提供できる。
【発明を実施するための最良の形態】
【００１０】
以下、本発明の実施形態を図面に基づいて詳しく説明する。
図１は、本発明にかかる、光学フィルムの光学特性を評価するため撮像する撮像装置である。本実施形態では、光学フィルムとして防眩性フィルムを使用し、この防眩性フィルムの輝度ムラを検査する工程を一例として撮像装置及び撮像方法を説明する。しかし、本発明の撮像装置及び撮像方法は、防眩性フィルムの輝度ムラの検査に限定されない。
【００１１】
図１に示すように、本実施形態の撮像装置１０は、光学フィルムＦを一方の面に載置させて、保持するステージ１１と、ステージ１１に保持された光学フィルムＦを撮像する撮像部１２とを備えている。また、撮像装置１０には、ステージ１１における、光学フィルムＦを保持する側の面に所定の光量の光を照射可能な光源Ｌが設けられている。なお、光源Ｌは、撮像装置１０の外部に設けられた、別の照明装置を光源として用いてもよい。
【００１２】
ステージ１１は、保持する光学フィルムＦの表面に対して平行方向（図１中の左右方向）に駆動制御可能な構成である。例えば、ステージ１１には、図示しない駆動モータと、この駆動モータに接続され、ステージ１１に固定されたライナーガイドとが設けられており、駆動モータを駆動させることでライナーガイドが所定の方向に移動する構成とすることができる。
【００１３】
撮像装置１０は、ステージ１１を駆動制御するステージ位置制御部１４を備えている。ステージ位置制御部１４は、ステージ位置制御手段として機能し、制御信号をステージ１１の駆動モータ等の駆動部に送信することで、ステージ１１を駆動させてその位置を変えることができる。
【００１４】
撮像部１２は、ステージ１１に保持された光学フィルムＦの画像を撮像するもので、例えば、ＣＣＤカメラ等を用いることができる。本実施形態では、ラインＣＣＤカメラを使用し、光学フィルムＦの全面のうち、所定幅の長尺帯状の領域の画像を、一回で撮像することができるものを用いることができる。
【００１５】
撮像部１２は、ステージ１１に保持された光学フィルムＦに対する撮像角度を変えられるように、その角度が制御可能な構成であることが好ましい。例えば、撮像部１２を支持する支持アームを設け、支持アームの一端をステージ１１における光学フィルムＦの位置で回動可能な支軸に固定し、他端に撮像部１２を取り付けた支持機構とすることができる。そして、傾斜機構によって支持アームを回動させることで、撮像部１２の撮像角度を制御することができる。
【００１６】
撮像装置１０は、撮像部１２の撮像角度を制御する撮像角度制御手段として機能する撮像角度制御部１３を備えている。撮像角度制御部１３は、撮像部１２の支持機構に制御信号を送信することで、撮像部１２の撮像角度を変えてることができる。
【００１７】
次に、本実施形態の撮像装置の制御系を説明する。
図２は、撮像装置の制御系を示すブロック図である。撮像装置１０は、撮像角度制御部１３と、ステージ位置制御部１４とのそれぞれに電気的に接続された演算部１５を備えている。演算部１５は、撮像角度制御部１３から撮像部１２の角度情報を取得し、また、ステージ位置制御部１４からステージ１１の位置情報及び駆動時の移動量を取得する。
【００１８】
演算部１５は、撮像部１２に接続され、撮像部１２による光学フィルムＦの撮像時とともに、撮像したときの撮像部１２の角度情報と、ステージ１１の位置情報とを対応づけし、必要に応じてメモリ等の記憶部に記憶させることができる。
【００１９】
また、演算部１５には、後述するように光学フィルムＦの位置ごとに撮像した部分画像を合成するための、画像合成処理部１６が接続されている。
【００２０】
図３は、光学フィルムの画像を撮像する状態を説明する平面図である。図４は、フィルムと撮像部との関係を説明する図である。
本実施形態の撮像装置１０は、図１に示すように、ステージ１１を平行方向に所定の移動量で移動させつつ、撮像部１２によって、ステージ１１に保持された光学フィルムＦの一部を撮像する。図３に示すように、本実施形態において、光学フィルムＦの撮像される一部の領域は、破線同士に挟まれた長尺帯状の部位である。本実施形態では、光学フィルムＦにおける、撮像対象である全領域を複数の部位（本実施形態においてはｎ個の部位）に区画し、各部位１〜ｎごとに撮像部１２によって撮像し、各部位１〜ｎに対応した部位画像Ａ１〜Ａｎとして取得する。
【００２１】
撮像装置１０は、光学フィルムＦを保持するステージ１１を駆動制御して、撮像部１２による撮像領域が光学フィルムＦの各部位１〜ｎになるように制御できるとともに、撮像部１２の撮像角度を光学フィルムＦの各部位１〜ｎに応じて制御することができる。
【００２２】
光学フィルムの位置と撮像角度との関係の一例を説明する。図４（ａ）は、光学フィルムＦがある位置にある際に、撮像部１２を所定の撮像角度に制御して撮像している状態を示している。このとき、撮像部１２の撮像角度をＩａとする。次に、図４（ｂ）に示すように、光学フィルムＦの位置をステージ１１の駆動によって変えるとともに、撮像領域に応じて撮像部１２の撮像角度をＩｂに変更する。光学フィルムの中心を撮像部の撮像方向の中心とした想定した、周縁部近傍では、見込み角が大きくなる。そこで、光学フィルムＦを複数の部位に区画して撮像する際に、撮像部１２を周縁部において撮像角度が小さくなるように制御し、かつ、光学フィルムＦの中心に近い部位ほど撮像角度を大きくするように制御することが好ましい。
【００２３】
本発明に係る撮像装置１０及び撮像方法は、防眩性フィルム等の光学フィルムＦの輝度ムラを検査する際に使用すると、光学フィルムＦを保持するステージ１１をステージ位置制御手段（ステージ位置制御部１４）によって任意の位置に移動させつつ、光学フィルムＦの撮像を行うことができる。そして、光学フィルムＦの位置を移動させることで撮像する位置と光学フィルムＦとの距離に依存した見込み角をキャンセル補正した画像を撮像することができる。このため、光学フィルムＦ上の位置にかかわらず、常に輝度ムラを撮像しやすい条件に設定することができ、輝度ムラを正確に検査することができる。
【００２４】
また、画像合成処理部１６によって、所定の移動量ごとの光学フィルムＦの画像を合成して光学フィルムＦの全体領域の画像を得る構成とすれば、光学フィルムＦの位置ごとに適した条件で撮像された輝度ムラを、一つの光学フィルムＦの画像として視認することができるため、検査が行いやすい。
【００２５】
さらに、光学フィルムＦに対する撮像部１２の撮像角度を撮像角度制御手段（撮像角度制御部１３）によって制御すれば、光学フィルムＦの位置ごとに適した角度条件で輝度ムラの撮像が行うことができ、また、任意の見込み角を想定した画像を撮像することができる。このため、光学フィルムＦの輝度ムラの検査をより一層正確に行うことができる。
【図面の簡単な説明】
【００２６】
【図１】光学フィルムの光学特性を評価するため撮像する撮像装置である。
【図２】撮像装置の制御系を示すブロック図である。
【図３】光学フィルムの画像を撮像する状態を説明する平面図である。
【図４】フィルムと撮像部との関係を説明する図である。
【図５】防眩性フィルムの輝度ムラを撮像するときの状態を説明する図である。
【符号の説明】
【００２７】
１０    撮像装置
１１    ステージ
１２    撮像部
１３    撮像角度制御部
１４    ステージ位置制御部
１６    画像合成処理部
Ｆ      光学フィルム
【図１】
2007264450.tif 000003
【図２】
2007264450.tif 000004
【図３】
2007264450.tif 000005
【図４】
2007264450.tif 000006
【図５】
2007264450.tif 000007